(57)【要約】  吸収性物品（１）は、オキシトシン又はオキシトシンを誘発する成分が付与された特定部位（６０）を備える。取付け部材は、着用者の体液を吸収可能であり、着用可能な吸収性物品に対して、着脱可能に構成された取付け部材であって、オキシトシン又は前記オキシトシンを誘発する成分を付与可能な部材によって構成される。
2014092087.tif 000002
【特許請求の範囲】
【請求項１】
着用者の体液を吸収可能であり、着用可能な吸収性物品であって、
オキシトシン又は前記オキシトシンを誘発する成分が付与された特定部位を備えることを特徴とする吸収性物品。
【請求項２】
前記吸収性物品は、使い捨てであることを特徴とする請求項１に記載の吸収性物品。
【請求項３】
前記特定部位は、前記吸収性物品を着用者が着用した状態において、着用者の腹側に配置される部位に設けられることを特徴とする請求項１に記載の吸収性物品。
【請求項４】
前記特定部位は、製品厚み方向において、液不透過性のシートよりも非肌面側に設けられることを特徴とする請求項１に記載の吸収性物品。
【請求項５】
前記特定部位は、製品厚み方向において、前記液不透過性のシートと重ならない位置に設けられることを特徴とする請求項１に記載の吸収性物品。
【請求項６】
前記特定部位は、不織布によって構成されることを特徴とする請求項１に記載の吸収性物品。
【請求項７】
前記特定部位は、前記吸収性物品の本体に対して着脱可能に構成されることを特徴とする請求項１に記載の吸収性物品。
【請求項８】
前記オキシトシンを誘発する成分は、母乳を主成分として含むことを特徴とする請求項１に記載の吸収性物品。
【請求項９】
前記特定部位を構成する不織布の表面は、凹凸を有することを特徴とする請求項６に記載の吸収性物品。
【請求項１０】
着用者の体液を吸収可能であり、着用可能な吸収性物品に対して、着脱可能に構成された取付け部材であって、
オキシトシン又は前記オキシトシンを誘発する成分を付与可能な部材によって構成されることを特徴とする取付け部材。
【請求項１１】
前記オキシトシンを誘発する成分は、母乳を主成分として含むことを特徴とする請求項１０に記載の取付け部材。
【発明の詳細な説明】
【技術分野】
【０００１】
本発明は、着用者の体液を吸収可能であり、着用可能な吸収性物品、吸収性物品に対して着脱可能に構成された取付け部材に関する。
【背景技術】
【０００２】
近年、乳幼児の身体を包み込むおくるみマットとして、母親の香りが染み込んだ柔軟性部材を収容するポケットを有するおくるみマットが提案されている（例えば、特許文献１）。母親の香りが染み込んだ柔軟性部材は、例えば、母親のハンカチ、授乳パッド等である。【０００３】
このようなおくるみマットによれば、おくるみマットによって乳幼児を包み込んだ場合に、母親の香りによって乳幼児に安らかな気持ちを抱かせることができる。
【先行技術文献】
【特許文献】
【０００４】
【特許文献１】特開２００８−０００２７９号公報
【発明の概要】
【０００５】
しかしながら、おくるみマットは、乳幼児の着衣の外側から乳幼児を包み込むものであり、乳幼児の身体に直接的に触れるものではない。従って、乳幼児に対して香り成分を継続的に付与することは困難である。すなわち、乳幼児に対して継続的に安らかな気持ちを抱かせることができない。
【０００６】
また、本出願人が調査を行ったところ、乳幼児のみならず、多くの人は、母親の香りによって安らかな気持ちを抱くことができることがわかった。しかし、日常生活において母親の香りに触れる機会は少ないため、母親の香りによって安らかな気持ちを抱くことができない。
【０００７】
そこで、本発明は、上述した課題を解決するためになされたものであり、使用者に持続的に安らかな気持ちを抱かせることを可能とする吸収性物品及び取付け部材を提供することを目的とする。
【０００８】
第１の特徴に係る吸収性物品は、着用者の体液を吸収可能であり、着用可能な物品である。吸収性物品は、オキシトシン又は前記オキシトシンを誘発する成分が付与された特定部位を備える。
【０００９】
第２の特徴に係る取付け部材は、着用者の体液を吸収可能であり、着用可能な吸収性物品に対して、着脱可能に構成される。取付け部材は、オキシトシン又は前記オキシトシンを誘発する成分を付与可能な部材によって構成される。
【図面の簡単な説明】
【００１０】
【図１】図１は、第１実施形態に係る吸収性物品１の展開平面図である。
【図２】図２は、図１に示すＡ−Ａ’線に沿った吸収性物品１の断面図である。
【図３】図３は、図１に示すＢ−Ｂ’線に沿った吸収性物品１の断面図である。
【図４】図４は、図１に示すＣ−Ｃ’線に沿った吸収性物品１の断面図である。
【図５】図５は、第１実施形態において、着用者が吸収性物品１を着用した状態を示す図である。
【図６】図６は、第１実施形態に係る吸収性物品１の製造工程を模式的に示す図である。
【図７】図７は、変更例１において、着用者が吸収性物品１を着用した状態を示す図である。
【図８】図８は、第２実施形態に係る吸収性物品１Ａの展開平面図である。
【図９】図９は、図８に示すＤ−Ｄ’線に沿った吸収性物品１Ａの断面図である。
【発明を実施するための形態】
【００１１】
以下において、第１実施形態に係る吸収性物品について、図面を参照しながら説明する。なお、以下の図面の記載において、同一又は類似の部分には、同一又は類似の符号を付している。
【００１２】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１３】
［実施形態の概要］
実施形態に係る吸収性物品は、着用者の体液を吸収可能であり、着用可能な物品である。吸収性物品は、オキシトシン又は前記オキシトシンを誘発する成分が付与された特定部位を備える。
【００１４】
実施形態では、オキシトシン又はオキシトシンを誘発する成分が付与された特定部位を備える吸収性物品が使用者に着用されることによって、使用者に対して継続的に安らかな気持ちを抱かせることができる。
【００１５】
実施形態では、吸収性物品の一例として、着用者の体液（尿など）を吸収可能なおむつを例にあげるが、実施形態は、これに限定されるものではない。吸収性物品は、着用者の身体に接触する部位を少なくとも備えていればよく、着用者が身につけるものであればよい。また、着用者の身体に接触する部位の少なくとも一部は、不織布によって構成されることが好ましい。
【００１６】
ここで、実施形態において、吸収性物品は、使い捨てであることが好ましい。具体的には、着用者に直接触れる吸収性物品については、清潔に保たれる必要がある。吸収性物品が使い捨てであることによって、使用頻度が高くても、オキシトシン又はオキシトシンを誘発する成分が付与された状態において、着用者に直接触れる吸収性物品を清潔に保つことができる。
【００１７】
［第１実施形態］
（吸収性物品の構造）
図１〜図４を用いて、第１実施形態に係る吸収性物品１について説明する。図１は、吸収性物品１の展開平面図である。図２は、図１に示すＡ−Ａ’線に沿った吸収性物品１の断面図である。図３は、図１に示すＢ−Ｂ’線に沿った吸収性物品１の断面図である。図４は、図１に示すＣ−Ｃ’線に沿った吸収性物品１の断面図である。
【００１８】
ここで、吸収性物品１は、例えば、乳幼児用の使い捨ておむつであるが、実施形態は、これに限定されるものではない。例えば、吸収性物品１は、再利用可能な布おむつであってもよい。また、吸収性物品１は、大人用の使い捨ておむつ、生理用ナプキン、尿取りパッドであってもよい。乳幼児用の吸収性物品においては、母親の香りによって乳幼児に安らかな気持ちを抱かせることができる。また、大人用の吸収性物品においては、使用者である大人に対して安らかな気持ちを抱かせることができる。
図１〜図４に示すように、第１実施形態に係る吸収性物品１は、係止テープ４０を用いて吸収性物品１の背側部分を腹側部分に係止することによって、着用者が着用可能なテープ型（オープン型）の使い捨ておむつである。吸収性物品１は、乳児或いは幼児向けである。
【００１９】
吸収性物品１は、股下域１０Ｃと、後胴回り域２０Ｒと、前胴回り域３０Ｆとを有する。股下域１０Ｃは、前胴回り域３０Ｆと後胴回り域２０Ｒとの間に位置する。後胴回り域２０Ｒは、着用者の後胴回り部（背部分）と接する部分である。前胴回り域３０Ｆは、着用者の前胴回り部（腹部分）と接する部分である。
【００２０】
第１実施形態では、前胴回りシート３０から後胴回りシート２０に向かう方向を製品長手方向Ｌと呼び、製品長手方向Ｌと直交する方向を製品幅方向Ｗと呼ぶ。また、製品長手方向Ｌ及び製品幅方向Ｗに直交する方向を製品厚み方向Ｔと呼ぶ。
【００２１】
第１実施形態では、製品長手方向Ｌにおいて、股下域１０Ｃから前胴回り域３０Ｆに向かう方向を前方向（或いは、前側）と呼ぶ。また、製品長手方向Ｌにおいて、股下域１０Ｃから後胴回り域２０Ｒに向かう方向を後方向（或いは、後側）と呼ぶ。
【００２２】
具体的には、吸収性物品１は、股下部材１０、後胴回りシート２０及び前胴回りシート３０を備える。股下部材１０の後端部及び後胴回りシート２０は、後胴回り域２０Ｒを構成しており、股下部材１０の前端部及び前胴回りシート３０は、前胴回り域３０Ｆを構成する。股下部材１０の中央部分は、股下域１０Ｃを構成する。
【００２３】
吸収性物品１には、一対の脚回り開口部５０が形成される。一対の脚回り開口部５０は、製品幅方向Ｗにおける吸収性物品１の両端部に設けられており、吸収性物品１が着用者に着用された状態で、着用者の脚回りに沿って配置される部分である。
【００２４】
股下部材１０は、トップシート３、バックシート４及び吸収体５によって構成される。製品幅方向Ｗにおける股下部材１０の両端部（端部１０ｂ１及び端部１０ｂ２）には、ギャザー６が設けられる。製品幅方向Ｗにおける後胴回りシート２０の両端部（端部２０ａ）には、係止テープ４０がそれぞれ設けられる。
【００２５】
トップシート３は、製品厚み方向Ｔにおいてバックシート４と比べて肌面側に設けられる。第１実施形態では、トップシート３は、吸収体５を包み込むように設けられる。トップシート３は、例えば、吸収体５と接する領域において、ＨＭＡなどで吸収体５と接合されている。トップシート３は、例えば、吸収体５と接する領域において、ＨＭＡなどでバックシート４と接合されている。トップシート３は、親水性不織布や織物、開口プラスチックフィルム、開口疎水性不織布などの液透過性のシートによって形成される。
【００２６】
バックシート４は、トップシート３と比べて非肌面側に設けられる。バックシート４は、着用者の衣類と接触し得る不織布４Ａと、不織布４Ａよりも内側（着用者の肌側）に位置するバックフィルム４Ｂとを有する。不織布４Ａとバックフィルム４Ｂとは、例えば、ＨＭＡなどで接合されている。また、不織布４Ａ及びバックフィルム４Ｂは、例えば、トップシート３及びギャザー６と接する領域において、トップシート３とＨＭＡなどで接合されている。不織布４Ａは、例えば、吸収体５と接する領域において、ＨＭＡなどで吸収体５と接合されている。
【００２７】
不織布４Ａとしては、スパンボンド−メルトブローン−スパンボンド（ＳＭＳ）不織布、スパンボンド（ＳＢ）不織布及びポイントボンド不織布から構成された疎水性の不織布を用いることができる。また、バックフィルム４Ｂとしては、液不透過性のフィルムを用いることができる。
【００２８】
吸収体５は、トップシート３とバックシート４との間に設けられ、着用者の体液（尿など）を吸収する。吸収体５は、液体を吸収する吸収体コア５Ａと、コアラップシート５Ｂとを有する。吸収体コア５Ａは、コアラップシート５Ｂによって包まれている。吸収体５は、例えば、トップシート３に包まれた状態でバックシート４にＨＭＡなどで接合される。
【００２９】
吸収体コア５Ａは、特に限定されるものではないが、親水性繊維を含んでいてもよい。親水性繊維としては、粉砕パルプ、コットンなどのセルロース、レーヨン、フィブリルレーヨンなどの再生セルロース、アセテート、トリアセテートなどの半合成セルロース、粒子状ポリマー、繊維状ポリマー、熱可塑性疎水性化学繊維、または親水化処理を施した熱可塑性疎水性化学繊維等を単独または混合して用いることができる。一方、コアラップシート５Ｂの少なくとも一部は、液透過性の部材によって構成される。コアラップシート５Ｂとしては、例えば、ティッシュシート、エアースルー繊維不織布、スパンボンド不織布、ＳＭＳ（スパンボンド−メルトブローン−スパンボンド）不織布を用いることができる。
【００３０】
ギャザー６は、疎水性（撥水性）の不織布によって形成されるシート状の部材である。ギャザー６は、複数の細長い伸縮性部材（ライクラ（登録商標）などのポリウレタン繊維など）を含み、伸縮性を有する。ギャザー６は、製品長手方向Ｌに伸長した状態で、製品幅方向Ｗにおける股下部材１０の両端部（端部１０ｂ１及び端部１０ｂ２）に設けられる。このため、吸収性物品１を着用者が着用したときに、着用者の体型に沿ってギャザー６が吸収体５の側方から立ち上がり、着用者の体液の外部への漏れを防止することができる。
【００３１】
図２〜図４に示すように、不織布４Ａは、バックフィルム４Ｂ及びギャザー６を構成する伸縮性部材を巻き込むように肌面側に折り返される。図３に示すように、不織布４Ａは、製品厚み方向Ｔにおいてバックシートを介して後胴回りシート２０と重なる。図４に示すように、不織布４Ａは、製品厚み方向Ｔにおいてバックシートを介して前胴回りシート３０と重なる。
【００３２】
図３に示すように、後胴回りシート２０は、製品幅方向Ｗにおいて外側から内側に向けて肌面側に折り返される。折り返された後胴回りシート２０の端部２０ａの一部は、不織布４Ａが折り返された領域と重なるように積層されている。このため、シート状部材が複数枚積層される領域（図中の点線枠内）が形成され、吸収性物品１を着用者が着用したときに、後胴回りシート２０及び係止テープ４０が製品幅方向Ｗの外側に引っ張られても、シート状部材が破断しにくく、係止テープ４０から後胴回りシート２０に力を伝えやすい。
【００３３】
後胴回りシート２０は、製品長手方向Ｌにおける股下部材１０の端部１０ａ１に連なる。また、後胴回りシート２０は、端部１０ａ１において製品幅方向Ｗにおける端部１０ｂ１及び端部１０ｂ２に連なる。第１実施形態では、後胴回りシート２０は、四角形の形状を有する。
【００３４】
後胴回りシート２０は、不織布によって形成される。第１実施形態では、後胴回りシート２０は、例えば、ＳＭＳ不織布、スパンボンド不織布等によって形成される。なお、後胴回りシート２０としては、ＳＭＳ不織布以外にＳＢ不織布などを用いることができる。
【００３５】
図４に示すように、前胴回りシート３０は、製品幅方向Ｗにおいて外側から内側に向けて肌面側に折り返される。折り返された前胴回りシート３０の端部３０ａの一部は、不織布４Ａが折り返された領域と重なるように積層されている。このため、シート状部材が複数枚積層される領域（図中の点線枠内）が形成され、吸収性物品１を着用者が着用した後において、前胴回りシート３０が製品幅方向Ｗの外側に引っ張られても、シート状部材が破断しにくい。
【００３６】
前胴回りシート３０は、製品長手方向Ｌにおける股下部材１０の端部１０ａ２に連なる。また、前胴回りシート３０は、端部１０ａ２において製品幅方向Ｗにおける端部１０ｂ１及び端部１０ｂ２に連なる。第１実施形態では、前胴回りシート３０は、四角形の形状を有する。
【００３７】
前胴回りシート３０は、液不透過性の不織布によって形成される。第１実施形態では、前胴回りシート３０は、ＳＭＳ不織布によって形成される。なお、前胴回りシート３０としては、ＳＭＳ不織布以外にＳＢ不織布などを用いることができる。
【００３８】
第１実施形態では、前胴回り域３０Ｆは、オキシトシン又はオキシトシンを誘発する成分が付与された特定部位６０を有する。
【００３９】
オキシトシンを誘発する成分は、例えば、母乳を主成分として含むことが好ましい。好ましくは、オキシトシンを誘発する成分は、吸収性物品１の着用者の母親の母乳を主成分として含むことが好ましい。このように、オキシトシンを誘発する成分が母乳を主成分として含むことによって、乳幼児等の使用者に対して安らかな気持ちを抱かせる効果が期待できる。
【００４０】
但し、オキシトシンを誘発する成分は、これに限定されるものではない。例えば、オキシトシンを誘発する成分は、ローズ油、エチルトリメチルシクロペンテニルブテノール、メチルトリメチルシクロペンテニルペンタノール、及びヘキサヒドロヘキサメチルシクロペンタベンゾピランを含んでもよい（例えば、特開２０１１−０９８８９８号公報）。
【００４１】
特定部位６０は、着用者が吸収性物品１を着用した状態において、着用者の腹側に配置される部位に設けられることが好ましい。例えば、特定部位６０は、製品長手方向Ｌにおける吸収性物品１の中心を通り、製品幅方向Ｗに沿って延びる仮想製品中心線ＶＬ（図１を参照）よりも前側に設けられる。或いは、特定部位６０は、係止テープ４０に設けられてもよい。また、特定部位６０は、係止テープ４０の一部であってもよい。
【００４２】
このように、着用者が吸収性物品１を着用した状態において、着用者の腹側に配置される部位に特定部位６０が設けられる。これによって、オキシトシン又はオキシトシンを誘発する成分が着用者の鼻に到達しやすい。
【００４３】
特定部位６０は、製品厚み方向Ｔにおいて、バックシート４（不織布４Ａ及びバックフィルム４Ｂ）よりも外側に設けられることが好ましい。但し、特定部位６０は、前胴回り域３０Ｆのターゲットテープ部１０ｔに設けられていてもよい。或いは、特定部位６０は、不織布４Ａの一部であってもよい。或いは、特定部位６０は、前胴回り域３０Ｆにおいて、股下部材１０の一部であってもよい。なお、特定部位６０は、製品厚み方向Ｔにおいてバックフィルム４Ｂよりも外側であれば、バックシート４の一部（不織布４Ａ）に設けられていてもよい。
【００４４】
このように、特定部位６０が製品厚み方向Ｔにおいて、液不透過性のバックフィルム４Ｂよりも外側に設けられることによって、オキシトシン又はオキシトシンを誘発する成分がバックフィルム４Ｂによって阻害されない。
【００４５】
特定部位６０は、不織布によって構成される。特定部位６０を構成する不織布の表面は、凹凸を有することが好ましい。詳細には、特定部位６０を構成する不織布の目付は、５ｇｓｍ〜５０ｇｓｍであることが好ましい。或いは、特定部位６０を構成する不織布の表面に圧搾部が設けられることが好ましい。このようなケースにおいて、圧搾部の間隔は、２ｍｍ〜２０ｍｍであることが好ましい。また、圧搾部の圧搾率は、５０％以下であることが好ましい。
【００４６】
このように、着用者の着衣よりも内側で着用者に接する吸収性物品１に設けられる特定部位６０が不織布によって構成されるため、着用者の体温及び着用者の身体から揮発する汗等の湿気が不織布に伝わる。また、不織布を構成する繊維間には隙間が形成されているため、着用者の動きに応じて不織布の内部に空気の動きが発生する。すなわち、着用者の動きに応じて特定部位６０が変形し、特定部位６０の変形によって、オキシトシン又はオキシトシンを誘発する成分が吸収性物品１の外側に拡散しやすい。また、特定部位６０を構成する不織布の表面が凹凸を有することによって、特定部位６０の表面積が増大し、オキシトシン又はオキシトシンを誘発する成分が拡散しやすい。
【００４７】
係止テープ４０は、ＨＭＡなどによって後胴回りシート２０の端部２０ａに取り付けられる。
【００４８】
例えば、係止テープ４０は、面ファスナーの雄部材を含み、複数の鉤状の突起群（フック）が形成された係止面４０ａを有する。係止面４０ａは、股下部材１０の端部１０ａ２に設けられたターゲットテープ部１０ｔに係止される。第１実施形態では、係止面４０ａを除く他の係止テープ４０の部分は、ＳＢ不織布によって形成される。なお、係止テープ４０の素材としては、ＳＢ不織布以外に、樹脂フィルムなどが挙げられる。
【００４９】
ここで、係止テープ４０の一部として特定部位６０を設ける場合においては、係止テープ４０の一部が不織布によって構成されており、オキシトシン又はオキシトシンを誘発する成分が不織布に付与されることが好ましい。
【００５０】
（吸収性物品の着用）
図５は、着用者が吸収性物品１を着用した状態を示す図である。図５に示すように、吸収性物品１は、吸収体５が着用者の股間ＷＧに位置するように着用者に装着される。
【００５１】
吸収性物品１を着用者に装着する装着者（着用者自身、または乳幼児が着用者の場合には、母親等の装着補助者）は、係止テープ４０を着用者の腹側に引っ張り、引っ張った状態の係止テープ４０を股下部材１０のターゲットテープ部１０ｔに係止する。これにより、着用者に装着される。
【００５２】
このように、係止テープ４０は、着用者が吸収性物品１を着用した状態において、着用者の腹側に配置される。従って、上述したように、特定部位６０は、係止テープ４０に設けられてもよい。
【００５３】
（吸収性物品の製造方法）
以下において、第１実施形態に係る吸収性物品１の製造方法について説明する。ここでは、特に、後胴回りシート２０及び前胴回りシート３０の製造方法を主に説明する。なお、股下部材１０など、他の部分は、公知の製造方法に従って製造可能である。
【００５４】
図６は、吸収性物品１の製造工程を模式的に示す図である。図６に示すように、吸収性物品１の製造工程には、第１折り工程Ｓ１０と、第２折り工程Ｓ２０と、係止テープ貼付工程Ｓ３０と、第１切断工程Ｓ４０と、フラップ貼付工程Ｓ５０と、第２切断工程Ｓ６０とが含まれる。
【００５５】
第１折り工程Ｓ１０では、搬送方向ＭＤに沿って連続するフラップシート１３０Ｓの側端部１３０ｃ及び側端部１３０ｄが、フラップシート１３０Ｓの中心線ＣＬ側に向けてフラップシート１３０Ｓの上面１３０ｅ側に折り畳まれ、ＨＭＡなどにより接着される。中心線ＣＬは、フラップシート１３０Ｓの製品幅方向Ｗ（搬送方向ＭＤに直交する方向）の中心を通過する直線である。
【００５６】
第２折り工程Ｓ２０では、フラップシート１３０Ｓの側端部１３０ｃ及び側端部１３０ｄが折り畳まれることによって形成された折畳端部１３０ｆ及び折畳端部１３０ｇが中心線ＣＬに向けてフラップシート１３０Ｓの上面１３０ｅ側に折り畳まれる。これにより、フラップシート１３０Ｓの両端部には、フラップシート１３０Ｓが複数枚重ねられた重複部分１３０ｈ及び重複部分１３０ｉが形成される。
【００５７】
係止テープ貼付工程Ｓ３０では、一対の係止テープ４０が連続したテープ部材４０Ｓが、搬送方向ＭＤに沿って所定間隔を空けてフラップシート１３０Ｓに貼り付けられる。テープ部材４０Ｓの中央には、搬送方向ＭＤに沿ってミシン目４０ｃなどのように、テープ部材４０Ｓを一対の係止テープ４０に分離することを容易にする加工が施されている。
【００５８】
第１切断工程Ｓ４０では、フラップシート１３０Ｓが搬送方向ＭＤに直交する交差方向ＣＤに沿って所定間隔を空けて切断される。フラップシート１３０Ｓが切断された切断片３２は、後胴回りシート２０と前胴回りシート３０とが一体化されたものである。
【００５９】
フラップ貼付工程Ｓ５０では、切断片３２が股下域連続体１０Ｓ上に所定間隔を空けて配置される。股下域連続体１０Ｓは、外装シート（トップシート３及びバックシート４）の連続体に吸収体５が間欠的に配置されている。切断片３２は、間欠的に配置された吸収体５の隙間を覆うように股下域連続体１０Ｓ上に配置され、股下域連続体１０Ｓに接合される。
【００６０】
第２切断工程Ｓ６０では、切断片３２が接合された股下域連続体１０Ｓが交差方向ＣＤに沿って切断される。切断片３２は、一の製品の後胴回りシート２０と、当該一の製品に続く製品の前胴回りシート３０とに分離される。上述した工程Ｓ１０〜Ｓ６０が実行されることによって、吸収性物品１が完成する。
【００６１】
ここで、上述した特定部位６０がバックシート４の不織布４Ａの一部である場合には、オキシトシン又はオキシトシンを誘発する成分がフラップシート１３０Ｓ（不織布４Ａ）に予め塗布される。特定部位６０が股下部材１０の一部である場合には、オキシトシン又はオキシトシンを誘発する成分が股下域連続体１０Ｓ（ターゲットテープ部１０ｔ）に予め塗布される。特定部位６０が係止テープ４０の一部である場合には、オキシトシン又はオキシトシンを誘発する成分がテープ部材４０Ｓに予め塗布される。
【００６２】
或いは、上述した特定部位６０がバックシート４とは別体である場合には、特定部位６０がフラップシート１３０Ｓ（不織布４Ａ）に予め貼付される。特定部位６０が股下部材１０と別体である場合には、特定部位６０が股下域連続体１０Ｓ（ターゲットテープ部１０ｔ）に予め貼付される。特定部位６０が係止テープ４０の一部である場合には、特定部位６０がテープ部材４０Ｓに予め貼付される。
【００６３】
（作用及び効果）
第１実施形態では、オキシトシン又はオキシトシンを誘発する成分が付与された特定部位６０を備える吸収性物品１が乳幼児等着用者に着用されることによって、着用者に対して継続的に安らかな気持ちを抱かせることができる。
【００６４】
また、吸収性物品１が使い捨てであることによって、使用頻度が高くても、オキシトシン又はオキシトシンを誘発する成分が付与された状態において、着用者に直接触れる吸収性物品１を清潔に保つことができる。
【００６５】
[変更例１]
以下において、第１実施形態の変更例１について説明する。以下においては、第１実施形態に対する相違点について主として説明する。
【００６６】
第１実施形態では、特定部位６０は、吸収性物品１の前胴回り域３０Ｆ（股下部材１０）に設けられる。これに対して、変更例１では、特定部位６０は、トップシート３、バックシート４及び吸収体５によって構成される本体に対して着脱可能に構成される。すなわち、特定部位６０は、吸収性物品１の本体と別体として設けられる。
【００６７】
具体的には、図７に示すように、吸収性物品１の前胴回り域３０Ｆは、特定部位６０を収容するポケット１５を有する。特定部位６０は、ポケット１５に収容される。なお、ポケット１５が設けられる位置は、前胴回り域３０Ｆに限定されるものではなく、他の部位（例えば、後胴回り域２０Ｒ）に設けられていてもよい。
【００６８】
このように、特定部位６０が吸収性物品１の本体に対して着脱可能に構成されているため、吸収性物品１の購入後において、特定部位６０をポケット１５から取り出して、オキシトシン又はオキシトシンを誘発する成分（例えば、着用者の母親の母乳）を特定部位６０に付与することができる。例えば、吸収性物品１の購入後において、特定部位６０に母乳を染み込ませることができる。
【００６９】
変更例１では、特定部位６０がポケット１５に収容されるケースについて例示した。しかしながら、実施形態は、これに限定されるものではない。例えば、吸収性物品１の前胴回り域３０Ｆは、面ファスナーの雄部材を含み、複数の鉤状の突起群（フック）が形成された係止面を有していてもよい。このようなケースでは、特定部位６０は、係止面に取付けられる。なお、特定部位６０に係止面が設けられていてもよい。
【００７０】
[変更例２]
以下において、第１実施形態の変更例２について説明する。以下においては、第１実施形態に対する相違点について主として説明する。
【００７１】
第１実施形態では、特定部位６０は、製品厚み方向Ｔにおいて、バックシート４（不織布４Ａ及びバックフィルム４Ｂ）よりも外側に設けられる。これに対して、変更例２では、特定部位６０は、製品厚み方向Ｔにおいて、バックシート４（特に、バックフィルム４Ｂ）と重ならない位置に設けられる。例えば、特定部位６０は、製品長手方向Ｌにおいて、バックシート４（バックフィルム４Ｂ）が吸収性物品１の前側端部まで延在していないケースにおいて、前胴回り域３０Ｆにおいてバックシート４（バックフィルム４Ｂ）が延在していない部位に設けられてもよい。
【００７２】
このように、特定部位６０は、製品厚み方向Ｔにおいて、バックシート４（バックフィルム４Ｂ）と重ならない位置に設けられることによって、着用者の発熱又は発汗の作用によってオキシトシン又はオキシトシンを誘発する成分が拡散する効果がバックシート４（バックフィルム４Ｂ）によって阻害されない。すなわち、オキシトシン又はオキシトシンを誘発する成分が拡散しやすい。
【００７３】
[変更例３]
以下において、第１実施形態の変更例３について説明する。以下においては、第１実施形態に対する相違点について主として説明する。
【００７４】
第１実施形態では、特定部位６０が吸収性物品１の一部であるケースについて例示した。すなわち、吸収性物品１の販売時において、特定部位６０が吸収性物品１に含まれているケースについて例示した。これに対して、変更例３では、吸収性物品１とは別体として、オキシトシン又はオキシトシンを誘発する成分を付与可能な部材によって構成される取付け部材が提供される。
【００７５】
変更例３において、取付け部材は、変更例１に示す特定部位６０と同様の構成を有する。例えば、取付け部材は、前胴回り域３０Ｆに設けられたポケット１５に収容される。或いは、取付け部材は、前胴回り域３０Ｆに設けられた係止面に取付けられる。なお、取付け部材に係止面が設けられていてもよい。すなわち、取付け部材は、吸収性物品１に対して着脱可能に構成される。
【００７６】
ここで、オキシトシンを誘発する成分は、好ましくは、吸収性物品１の着用者の母親の母乳を主成分として含むことが好ましい。変更例３によれば、取付け部材が吸収性物品１とは別体として設けられるため、母親の母乳を取付け部材に付与しやすい。
【００７７】
[第２実施形態]
以下において、第２実施形態について説明する。以下においては、第１実施形態に対する相違点について主として説明する。なお、第１実施形態と同様の構成については、同符号を用いて説明を省略する。第２実施形態に係る吸収性物品は、生理用ナプキンである。図８は、第２実施形態に係る吸収性物品１Ａの平面図であり、図９は、図８に示すＤ−Ｄ’線に沿った吸収性物品１Ａの断面図である。
【００７８】
吸収性物品１Ａは、体液を吸収する吸収体５と、吸収体５よりも着用者の肌当接面側に位置するトップシート３、補助シート８及びサイドシート７と、吸収体５よりも着用者の非肌当接面側に位置するバックシート４と、を備える。吸収体５は、トップシート３とバックシート４の間、または補助シート８とバックシートの間に配設される。従って、吸収体５は、図８において破線で示される。吸収体５は、吸収性物品１Ａの製品長手方向Ｌ及び製品幅方向Ｗにおける中央部分に配設される。
【００７９】
補助シート８は、体液の引き込み性を高めるように構成されている。補助シート８を配置することによって、体液の吸収スピードを速くでき、リウェット性(吸収後の液逆戻り)を向上させることができる。本実施形態の補助シート８は、親水性のエアースルー不織布を用いた。体液を受け止める場所に補助シート８を配置することにより、瞬間的に体液を引き込み、トップシート上の液流れを抑え、速やかに体液を吸収体５へと移行できる。
【００８０】
トップシート３は、補助シート８によって吸収体５を覆っていない領域において、吸収体５を覆っている。サイドシート７は、トップシート３の製品幅方向端部を覆っている。
【００８１】
補助シート８には、オキシトシン又は前記オキシトシンを誘発する成分が付されている。本実施の形態における特定部位は、補助シート８に設けられている。
【００８２】
オキシトシン又はオキシトシンを誘発する成分が付与された補助シート８を備える吸収性物品１Ａが着用者に着用されることによって、着用者に安らかな気持ちを抱かせることができる。また、補助シート８は、使用者の肌に直接触れるものではない。当該補助シートに香り成分を付与することにより、肌に直接香り成分が接することを防ぎ、肌への影響等を避けることが可能となる。
【００８３】
また、吸収性物品がパッケージに包装されている場合には、当該パッケージから取り出した際に、オキシトシン等の香りが発生しやすいように構成することが好ましい。例えば、オキシトシン等を付す部位は、補助シートであってもよいし、バックシートよりも着衣側に位置する存在する不織布シートに配置してもよいし、パッケージを構成する包装体の内側（使い捨ておむつ、ナプキン及びパンティライナー等を包んでいる側）に配置することが好ましい。
【００８４】
［その他の実施形態］
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００８５】
実施形態では、吸収性物品１は、３つの別々なシート（股下部材１０を構成するシート、後胴回りシート２０及び前胴回りシート３０）によって構成される。しかしながら、実施形態は、これに限定されるものではない。吸収性物品１は、他の構成を有していてもよい。
【００８６】
実施形態では、吸収性物品１は、オープン型のおむつである。しかしながら、実施形態は、これに限定されるものではない。吸収性物品１は、パンツ型のおむつであってもよい。
【００８７】
実施形態では、特定部位６０は、前胴回り域３０Ｆに設けられる。しかしながら、実施形態は、これに限定されるものではない。特定部位６０は、後胴回り域２０Ｒに設けられてもよい。
【００８８】
実施形態では、バックシート４は、不織布４Ａ及びバックフィルム４Ｂによって構成される。しかしながら、実施形態は、これに限定されるものではない。バックシート４は、バックフィルム４Ｂのみによって構成されてもよい。このようなケースでは、特定部位６０は、バックフィルム４Ｂに貼付されることが好ましい。
【００８９】
なお、日本国特許出願第２０１２−２６９３３１号（２０１２年１２月１０日出願）の全内容が、参照により、本願明細書に組み込まれている。
【産業上の利用可能性】
【００９０】
本発明によれば、使用者に対して継続的に安らかな気持ちを抱かせることを可能とする吸収性物品及び取付け部材を提供することができる。
【符号の説明】
【００９１】
Ｌ…製品長手方向、Ｔ…製品厚み方向、Ｗ…製品幅方向、１…吸収性物品、３…トップシート、４…バックシート、４Ａ…不織布、４Ｂ…バックフィルム、５…吸収体、５Ａ…吸収体コア、５Ｂ…コアラップシート、６…ギャザー、７…サイドシート、１０…股下部材、１０Ｃ…股下域、１０Ｓ…股下域連続体、１０ｔ…ターゲットテープ部、１５…ポケット、２０…後胴回りシート、２０Ｒ…後胴回り域、３０…前胴回りシート、３０Ｆ…前胴回り域、４０…係止テープ、４０ａ…係止面、５０…脚回り開口部、６０…特定部位、１３０Ｓ…フラップシート
【図１】
2014092087.tif 000003
【図２】
2014092087.tif 000004
【図３】
2014092087.tif 000005
【図４】
2014092087.tif 000006
【図５】
2014092087.tif 000007
【図６】
2014092087.tif 000008
【図７】
2014092087.tif 000009
【図８】
2014092087.tif 000010
【図９】
2014092087.tif 000011
【国際調査報告】
2014092087.tif 000012
2014092087.tif 000013
2014092087.tif 000014
2014092087.tif 000015